(57)【要約】【課題】容器内部の液体を残さずに回収し、プラスチック容器のリサイクルを円滑に行うことができる液体容器の開封装置を提供すること。【解決手段】液体容器１の下部が嵌合する有底筒状のケーシング２と、ケーシング２内で周壁２２に近接して上方に突出し、液体容器１の底部１１の外周部１１ａを穿孔する穿孔刃３と、ケーシング２の底壁２１に形成した液体流出孔４とを備える。【選択図】  図１
2004338756.tif 000002
【特許請求の範囲】
【請求項１】
液体容器の下部が嵌合する筒状のケーシングと、該ケーシング内で周壁に近接して上方に突出し、液体容器の底部の外周部を穿孔する穿孔刃とを備えたことを特徴とする液体容器の開封装置。
【発明の詳細な説明】
【０００１】
【発明の属する技術分野】
本発明は、液体容器の開封装置に関し、特に、容器内部の液体を残さずに回収し、プラスチック容器のリサイクルを円滑に行うことができる液体容器の開封装置に関するものである。
【０００２】
【従来の技術】
例えば、現像液が充填された液体容器は、ポリエチレン等の容器の口に蓋を配設するとともに、蓋の内側でさらにアルミシートにより口を封止している。
このような液体容器の開封装置としては、従来、容器の口が嵌合するケーシングと、該ケーシングの底部から上方に突出し、口を封止するアルミシートを穿孔する穿孔刃とを備えたものが知られている。
この液体容器の開封装置は、ケーシングに液体容器を口から押し込むことにより、穿孔刃により容器の口のアルミシートを突き破り、穿孔したアルミシートの穴から容器内部の液体を回収するようにしている。
【０００３】
【発明が解決しようとする課題】
ところで、上記従来の液体容器の開封装置においては、穿孔刃により容器の口のアルミシートを突き破ることから、穿孔刃に突かれたときにアルミシートが上方に押圧されて山状に隆起し、この隆起したアルミシートの頂部が穿孔されることにより、その周囲の谷状の部分に液体が残り、プラスチック容器のリサイクルに支障をきたすという問題を有している。
【０００４】
本発明は、上記従来の液体容器の開封装置が有する問題点に鑑み、容器内部の液体を残さずに回収し、プラスチック容器のリサイクルを円滑に行うことができる液体容器の開封装置を提供することを目的とする。
【０００５】
【課題を解決するための手段】
上記目的を達成するため、本発明の液体容器の開封装置は、液体容器の下部が嵌合する筒状のケーシングと、該ケーシング内で周壁に近接して上方に突出し、液体容器の底部の外周部を穿孔する穿孔刃とを備えたことを特徴とする。
【０００６】
この液体容器の開封装置は、液体容器の下部が嵌合する筒状のケーシングと、該ケーシング内で周壁に近接して上方に突出し、液体容器の底部の外周部を穿孔する穿孔刃とを備えることから、液体容器を底部からケーシングに押し込むことにより、通常深く形成される液体容器の底部の外周部を穿孔刃により穿孔することができ、これにより、低い位置に形成した液体容器の穴から内部の液体を残さずに回収することができ、その結果、液体を無駄なく使用するとともに、洗浄の手間を省略しプラスチック容器のリサイクルを円滑に行うことができる。
【０００７】
【発明の実施の形態】
以下、本発明の液体容器の開封装置の実施の形態を図面に基づいて説明する。
【０００８】
図１〜図２に、本発明の液体容器の開封装置の一実施例を示す。
この液体容器の開封装置は、液体容器１の下部が嵌合する有底筒状のケーシング２と、該ケーシング２内で周壁２２に近接して上方に突出し、液体容器１の底部１１の外周部１１ａを穿孔する穿孔刃３と、該穿孔刃３の外側でケーシング２の底壁２１に形成した液体流出孔４とを備えている。
【０００９】
ケーシング２は、液体容器１が摺動可能に嵌挿する円筒状のものからなり、図２に示すように、その底壁に形成した液体流出孔４が最も低い位置になるように、該液体流出孔４側にやや傾斜した状態で、現像装置等（図示省略）に設置される。
ケーシング２は、底壁２１を備えることにより、大容量の重い液体容器でも安定した状態で支持することができる。
なお、底壁２１の形状は、特に限定されるものでなく、液体流出孔４のほかに、透孔を形成するようにしたり、多孔板や格子等で構成することもできる。
【００１０】
穿孔刃３は、三角形等の先端が尖った板状の刃を幅方向に折曲したものからなり、その内側には空間部が形成されるとともに、Ｖ字状の刃先３１がケーシング２の中心に向かって傾斜するように立設されている。
このように穿孔刃３を形成することにより、液体容器１の底部１１の外周部１１ａを切り裂くように、大きく穿孔することができる。
また、この穿孔刃３は、本実施例では、ケーシング２の底壁２１に形成した液体流出孔４に固定されている。なお、穿孔刃３の折曲形状は、角形や円弧状等の適宜の形状とすることができる。
【００１１】
液体流出孔４は、ケーシング２の底壁２１を三角形状に切り欠いて形成されており、その外側のケーシング２の周壁２２も窓状に切り欠かれている。
この液体流出孔の形状や大きさ、あるいは数量等は、適宜に変更することが可能である。
【００１２】
一方、液体容器の開封装置を簡略に形成する場合は、図３に示すように、ケーシング２の底壁２１を省略することも可能であり、この場合、穿孔刃３はケーシング２の周壁２２に固定することができる。
すなわち、この液体容器の開封装置は、液体容器１の下部が嵌合する筒状のケーシング２と、該ケーシング２内で周壁２２に近接して上方に突出し、液体容器１の底部１１の外周部１１ａを穿孔する穿孔刃３とを備えている。
なお、本実施例のその他の構成は、第１実施例の液体容器の開封装置と同様であるので、同一部材は同一符号を記すことにより、その説明を省略する。
【００１３】
他方、この液体容器の開封装置で開封される液体容器１は、例えば、ポリエステル等の破封可能なプラスチック等からなる汎用の容器であり、図２に示すように、通常は底部１１の外周部１１ａがその他の部分より深く形成されている。
なお、液体容器１の口には蓋１２が取り付けられているが、本発明の液体容器の開封装置では、この蓋を開けることなく内部の液体を回収することができる。
【００１４】
かくして、本実施例の液体容器の開封装置は、液体容器１の下部が嵌合する有底筒状のケーシング２と、該ケーシング２内で周壁２２に近接して上方に突出し、液体容器１の底部１１の外周部１１ａを穿孔する穿孔刃３と、該穿孔刃３の外側でケーシング２の底壁２１に形成した液体流出孔４とを備えることから、液体容器１を底部１１からケーシング２に押し込むことにより、通常深く形成される液体容器１の底部１１の外周部１１ａを穿孔刃３により穿孔することができ、これにより、低い位置に形成した液体容器１の穴５から液体流出孔４を介して内部の液体を残さずに回収することができる。
その結果、液体を無駄なく使用するとともに、洗浄の手間を省略しプラスチック容器のリサイクルを円滑に行うことができる。
【００１５】
以上、本発明の実施例を説明したが、本発明の液体容器の開封装置の構成は、この実施例の記載に限定されるものではなく、その趣旨を逸脱しない範囲において適宜に変更することが可能である。
【００１６】
【発明の効果】
本発明の液体容器の開封装置によれば、液体容器の下部が嵌合する筒状のケーシングと、該ケーシング内で周壁に近接して上方に突出し、液体容器の底部の外周部を穿孔する穿孔刃とを備えることから、液体容器を底部からケーシングに押し込むことにより、通常深く形成される液体容器の底部の外周部を穿孔刃により穿孔することができ、これにより、低い位置に形成した液体容器の穴から内部の液体を残さずに回収することができ、その結果、液体を無駄なく使用するとともに、洗浄の手間を省略しプラスチック容器のリサイクルを円滑に行うことができる。
【図面の簡単な説明】
【図１】本発明の液体容器の開封装置の一実施例を示す斜視図である。
【図２】同実施例の液体容器の開封装置を示し、（ａ）は液体容器を穿孔する前の状態を示す断面図、（ｂ）は液体容器を穿孔した状態を示す断面図である。
【図３】本発明の液体容器の開封装置の他の実施例を示す斜視図である。
【符号の説明】
１    液体容器
１１  底部
１１ａ  底部の外周部
１２  蓋
２    ケーシング
２１  底部
２２  周壁
３    穿孔刃
３１  刃先
４    液体流出孔
５    穴
【図１】
2004338756.tif 000003
【図２】
2004338756.tif 000004
【図３】
2004338756.tif 000005